(57)【特許請求の範囲】
【請求項１】
回転しながらシート材を切断する切断加工用刃物であって、
扇形状の刃物本体と、前記刃物本体の外周部に沿って配置される切断刃とを備え、
前記切断刃の側面には、切断刃の摩耗量が所定量に達して刃物交換時期に達したことを示す溝状マークが形成されており、
前記溝状マークは、前記切断刃の刃先側から前記刃物本体の径方向内側に向けて直線状に延び、かつ、所定間隔をあけて前記刃物本体の外周部に沿って放射状に配置される複数の線状溝から構成されており、
前記各線状溝における前記刃物本体の径方向内側の端部は、前記刃物本体の側面にまで伸びていることを特徴とする切断加工用刃物。
【請求項２】
前記各線状溝は、同一の溝深さを有していることを特徴とする請求項１に記載の切断加工用刃物。
【請求項３】
回転しながらシート材を切断する切断加工用刃物であって、
扇形状の刃物本体と、前記刃物本体の外周部に沿って配置される切断刃とを備え、
前記切断刃の側面には、切断刃の摩耗量が所定量に達して刃物交換時期に達したことを示す溝状マークが形成されており、
前記溝状マークは、前記切断刃の刃先側から前記刃物本体の径方向内側に向けて直線状に延び、かつ、所定間隔をあけて前記刃物本体の外周部に沿って放射状に配置される複数の線状溝から構成されており、
前記各線状溝は、それぞれ異なる溝深さを有していることを特徴とする切断加工用刃物。
【請求項４】
前記各線状溝における前記刃物本体の径方向内側の端部は、前記刃物本体の側面にまで伸びていることを特徴とする請求項３に記載の切断加工用刃物。
【請求項５】
放射状に配置される前記各線状溝は、前記刃物本体の外周部に沿う一の方向に向かうに従い、溝深さが大となるように形成されていることを特徴とする請求項３又は４に記載の切断加工用刃物。
【請求項６】
前記切断刃は、前記刃物本体の外周部に沿って前記刃物本体の厚み方向両側縁にそれぞれ設けられており、前記溝状マークは、前記各切断刃の外側側面に形成されている請求項１から５のいずれかに記載の切断加工用刃物。
【請求項７】
前記一方の切断刃の外側側面に形成される一の前記溝状マークを構成する各線状溝と、前記他方の切断刃の外側側面に形成される他の前記溝状マークを構成する各線状溝とは、それぞれ、前記刃物本体の外周部に沿う方向に関して、同一の位置に形成されていることを特徴とする請求項６に記載の切断加工用刃物。
【請求項８】
前記一方の切断刃の外側側面に形成される一の前記溝状マークを構成する各線状溝と、前記他方の切断刃の外側側面に形成される他の前記溝状マークを構成する各線状溝とに関して、前記刃物本体の外周部に沿う方向において同一の位置に形成される一組の線状溝は、同一の溝深さを有していることを特徴とする請求項７に記載の切断加工用刃物。
【発明の詳細な説明】
【技術分野】
【０００１】
本発明は、切断加工用刃物に関する。特に、ダンボールシート等のシート材を切断する切断加工用刃物に関する。
【背景技術】
【０００２】
物を保管又は移動等させるための包装箱として、図７に示すような段ボールシート５０を組み立てて製造される段ボール箱が知られている。この段ボール箱の上蓋及び底板は、段ボールシート５０の一部にスリット５１，５２を形成して切り離された部分を互いに重なり合うように折り畳んで形成される。
【０００３】
このスリット５１，５２の形成に際して、溝切り装置が用いられるのが一般的であり、この溝切り装置には、図８に示すような切断加工用刃物６０がよく用いられる（例えば、特許文献１の従来技術参照）。
【０００４】
この切断加工用刃物６０は、扇形状に形成された刃物本体部６１に切込生成刃６２と切断刃６３とが一体形成されている。切込生成刃６２は、刃物本体６１の外周面の一端から径方向外方に、刃物本体６１の端面と面一になるように突出しており、端面の幅方向両側に角部６４を備えている。切断刃６３は、刃物本体部６１の外周面に沿って、刃物本体６１の厚み方向両側にそれぞれ設けられている。
【０００５】
切断加工用刃物６０は、図９及び図１０に示すような溝切り装置７０に取り付けられる。図９は溝切り装置の概略構成を示す側面図であり、図１０は正面図である。この溝切り装置７０には、上述した切断加工用刃物６０が２枚取り付けられるが、それぞれの刃物を切断加工用刃物６０ａ，６０ｂとして、溝切り装置７０の構成について以下説明する。
【０００６】
溝切り装置７０は、上側回転軸７１及び下側回転軸７２を備えている。上側回転軸７１及び下側回転軸７２は、互いに平行に、シート給送ラインＬを挟んで対向するように配置されており、それぞれ円盤状の一対の上側回転ホルダ７３，７３及び一対の下側回転ホルダ７４，７４を備えている。
【０００７】
一対の上側回転ホルダ７３，７３には、２枚の切断加工用刃物６０ａ，６０ｂがそれぞれボルト等の締結具（図示せず）により挟持されている。これら切断加工用刃物６０ａ、６０ｂは、一対の回転ホルダ７３，７３の外周に沿って所定の間隔を空けて、かつ、それぞれの切込生成刃６２ａ，６２ｂが、外周方向に沿って向き合うように取り付けられる。これに対し、一対の下側回転ホルダ７４，７４のそれぞれの対向面には、２枚の受刃７５，７５が、切断加工用刃物６０ａ及び６０ｂの厚み寸法に対応した所定間隔をあけて取り付けられる。
【０００８】
次に、以上の構成を備えた溝切り装置７０を用いて、段ボールシート５０にスリットを形成する方法を説明する。図９に示すように、上側回転ホルダ７３，７３及び下側回転ホルダ７４，７４を回転させた状態で、溝切り装置７０のシート給送ラインＬ上に沿って、段ボールシート５０を図９の右側から溝切り装置７０に給送する。これにより、切断加工用刃物６０ａが、受刃７５，７５の隙間に挟み込まれて、段ボールシート５０が切断され、図７に示すような終端部５３を終点とした前方スリット５１が形成される。同様に、他方の切断加工用刃物６０ｂが、受刃７５，７５の隙間に挟み込まれて、段ボールシート５０が切断され、始端部５４を起点とした後方スリット５２が形成される。
【先行技術文献】
【特許文献】
【０００９】
【特許文献１】特開平９−３９１１８号公報
【発明の概要】
【発明が解決しようとする課題】
【００１０】
上述のように段ボールシート等のシート材にスリット加工を行う場合、上側回転ホルダに設置される切断加工用刃物が、下側回転ホルダに設置される両受刃の隙間に挟み込まれることになるが、このとき、切断加工用刃物の切断刃と受刃とが互いに摺接し、これにより、切断加工用刃物の切断刃が摩耗してしまうという問題があった。切断加工用刃物の切断刃が摩耗してしまうと、刃物としての切れ味が悪化し、シート材の切断面がギザギザな状態となったり、シート材を切断する際に発生する切断加工用刃物と受刃との押圧によるシート材の横ずれ（シート材の厚み方向に対して垂直な方向の変形）が発生しやすくなり、図１１に示すように、この横ずれに起因した細いひげ状の切断屑５０ａがシート材の切断面に残存するといった切断不良が生じるおそれがある。このように刃物としての切れ味が悪化した場合、新品の切断加工用刃物に交換する必要があるが、シート材の切断面に切断不良が発生する前段階において、予め、切断加工用刃物の交換時期を正確に認識することは難しいという問題があった。
【００１１】
本発明は、このような問題を解決するためになされたものであって、段ボールシート等のシート材を切断する切断加工用刃物の寿命、つまり交換時期を正確に認識することができる切断加工用刃物を提供することを目的とする。
【課題を解決するための手段】
【００１２】
本発明の前記目的は、回転しながらシート材を切断する切断加工用刃物であって、扇形状の刃物本体と、前記刃物本体の外周部に沿って配置される切断刃とを備え、前記切断刃の側面には、切断刃の摩耗量が所定量に達して刃物交換時期に達したことを示す溝状マークが形成されており、前記溝状マークは、前記切断刃の刃先側から前記刃物本体の径方向内側に向けて直線状に延び、かつ、所定間隔をあけて前記刃物本体の外周部に沿って放射状に配置される複数の線状溝から構成されており、前記各線状溝における前記刃物本体の径方向内側の端部は、前記刃物本体の側面にまで伸びていることを特徴とする切断加工用刃物により達成される。
【００１３】
また、上記切断加工用刃物に関し、前記各線状溝は、同一の溝深さを有するように構成してもよい。
【００１４】
また、本発明の前記目的は、回転しながらシート材を切断する切断加工用刃物であって、扇形状の刃物本体と、前記刃物本体の外周部に沿って配置される切断刃とを備え、前記切断刃の側面には、切断刃の摩耗量が所定量に達して刃物交換時期に達したことを示す溝状マークが形成されており、前記溝状マークは、前記切断刃の刃先側から前記刃物本体の径方向内側に向けて直線状に延び、かつ、所定間隔をあけて前記刃物本体の外周部に沿って放射状に配置される複数の線状溝から構成されており、前記各線状溝は、それぞれ異なる溝深さを有していることを特徴とする切断加工用刃物により達成される。
【００１５】
また、放射状に配置される前記各線状溝は、前記刃物本体の外周部に沿う一の方向に向かうに従い、溝深さが大となるように形成してもよい。
【００１６】
また、前記切断刃を、前記刃物本体の外周部に沿って前記刃物本体の厚み方向両側縁にそれぞれ設け、前記溝状マークを、前記各切断刃の外側側面に形成するように構成してもよい。
【００１７】
また、前記一方の切断刃の外側側面に形成される一の前記溝状マークを構成する各線状溝と、前記他方の切断刃の外側側面に形成される他の前記溝状マークを構成する各線状溝とは、それぞれ、前記刃物本体の外周部に沿う方向に関して、同一の位置に形成されるように構成してもよい。
【００１８】
また、前記一方の切断刃の外側側面に形成される一の前記溝状マークを構成する各線状溝と、前記他方の切断刃の外側側面に形成される他の前記溝状マークを構成する各線状溝とに関して、前記刃物本体の外周部に沿う方向において同一の位置に形成される一組の線状溝は、同一の溝深さを有するように構成してもよい。
【発明の効果】
【００１９】
本発明によれば、段ボールシート等のシート材を切断する切断加工用刃物の寿命、つまり交換時期を正確に認識することができる切断加工用刃物を提供することができる。
【図面の簡単な説明】
【００２０】
【図１】本発明の一実施形態に係る切断加工用刃物の平面図である。
【図２】図１のＡ−Ａ断面図である。
【図３】図２の要部拡大図である。
【図４】図２における矢視Ｂ方向から見た平面図。
【図５】図１に示す切断加工用刃物の変形例を示す要部拡大断面図である。
【図６】図１に示す切断加工用刃物の変形例を示す断面図である。
【図７】スリットが形成された後の段ボールシートの概略平面図である。
【図８】従来の切断加工用刃物の平面図である。
【図９】図８に示す切断加工用刃物が取り付けられた溝切り装置の概略構成を示す側面図である。
【図１０】図８に示す切断加工用刃物が取り付けられた溝切り装置の概略構成を示す正面図である。
【図１１】段ボールシートに形成されたスリットの一例を示す拡大図である。
【発明を実施するための形態】
【００２１】
以下、本発明の実施形態について添付図面を参照して説明する。なお、各図は、構成の理解を容易ならしめるために部分的に拡大・縮小している。図１は、本発明の一実施形態にかかる切断加工用刃物を示す平面図であり、図２は、そのＡ−Ａ断面図である。また、図３は、図２の要部拡大図であり、図４は、図２の矢視Ｂ方向から見た平面図である。切断加工用刃物１は、回転しながら段ボールシートや合成樹脂製シート等のシート材を切断するための刃物であり、図１〜図４に示すように、刃物本体２と、切断刃３と、切込生成刃４とを備えている。
【００２２】
刃物本体２は、ステンレスや鉄等の金属材料により形成されており、図１に示すように、平面視において扇形状に形成されている。
【００２３】
切断刃３は、シート材を切断してスリットを形成するための刃部であり、刃物本体２の外周部に沿って、刃物本体２の厚み方向両側縁にそれぞれ設けられている。これら各切断刃３の外側側面には、切断刃３の摩耗量が所定量に達して刃物交換時期に達したことを示す溝状マーク５が形成されている。この溝状マーク５は、例えば、レーザー加工やエッチング処理、切削加工等を切断刃３の側面に施すことにより形成することができる。また、図１においては、溝状マーク５を、刃物本体２の外周部に沿って、円弧状にのびるように形成される切断刃３の略中央部領域（切断刃３の刃先３１の長さ方向（刃物本体２の周方向）の約１／２の範囲）に形成している例を示しているが、このような構成に特に限定されない。切断刃３の摩耗が顕著に現れる部分は、切断加工用刃物１が設置される溝切り装置の種類や、溝切り装置に設置された切断加工用刃物１と受刃とのクリアランスの関係や、切断されるシート材の種類等によって変動するものであることから、切断刃３の摩耗が顕著に現れる部分として想定される領域に、適宜、溝状マーク５を形成すればよい。
【００２４】
また、本発明に係る溝状マーク５は、図１に示すように、切断刃３の刃先３１側から刃物本体２の径方向内側に向けて直線状に延び、かつ、所定間隔をあけて刃物本体２の外周部に沿って放射状に配置される複数の線状溝５ａの集合として構成されている。各線状溝５ａの構成をより詳細に説明すると、任意の一の線状溝５ａを延長した仮想ライン及び刃先３１が交差する点における刃先３１上の接線と、上記仮想ラインとは、略直角に交わるように各線状溝５ａは形成されている。また、図１の構成においては、各線状溝５ａは、同一の間隔を空けて配置されているが、各線状溝５ａの間隔を異ならせるようにして構成してもよい。また、溝状マーク５（線状溝５ａ）の深さは、刃物を交換すべきと考えられる量の減肉（摩耗）が切断刃３の側面（溝状マーク５が形成される側面領域）に発生した際に、溝状マーク５が摩耗と共に消滅してしまう程度の深さに設定されている。
【００２５】
また、本実施形態においては、刃物本体２の外周部に沿って刃物本体２の厚み方向両側縁にそれぞれ切断刃３が形成されているが、このような構成を採用する場合、図２の矢視Ｂ方向から見た平面図である図４に示すように、一方の切断刃３の外側側面に形成される一の溝状マーク５を構成する各線状溝５ａと、他方の切断刃３の外側側面に形成される他の溝状マーク５を構成する各線状溝５ａとは、それぞれ、刃物本体２の外周部に沿う方向に関して、同一の位置に形成することが好ましい。また、一方の切断刃３の外側側面に形成される一の溝状マーク５を構成する各線状溝５ａと、他方の切断刃３の外側側面に形成される他の溝状マーク５を構成する各線状溝５ａとに関して、刃物本体２の外周部に沿う方向において同一の位置に形成される一組の線状溝５ａ（例えば、図４中において５ａ１と５ａ２にて示される線状溝）は、同一の溝深さを有するように構成することが好ましい。なお、本実施形態においては、全ての線状溝５ａの溝深さを同一となるように設定している。
【００２６】
また、本実施形態においては、各線状溝５ａにおける刃物本体２の径方向内側の端部５ｂは、刃物本体２の側面にまで伸びるように構成されている。つまり、各線状溝５ａの一方の端部５ｂは刃物本体２の側面上に設定され、他方の端部５ｃは切断刃３の側面上に設定されている。
【００２７】
切込生成刃４は、切断加工用刃物１によりスリット加工されるときに出る屑片の一端を段ボールシート等のシート材から切り落とすための刃部であり、刃物本体２の外周面の一端から径方向外方に、刃物本体２の端面と面一になるように突出しており、端面の幅方向両側に角部を備えている。
【００２８】
以上の構成を備えた切断加工用刃物１は、例えば図９及び図１０に示すような溝切り装置７０に取り付けられて使用される。段ボールシート等のシート材にスリットを形成する方法は、上記背景技術で説明した方法と同一であるため、ここでは詳細な説明を省略する。
【００２９】
本実施形態に係る切断用加工刃物１は、切断刃３の側面に、切断刃３の摩耗量が所定量に達して刃物交換時期に達したことを示す溝状マーク５が形成されているため、刃物交換時期を容易に認識することができ、切断加工用刃物１の切断刃３における摩耗減肉に起因して、シート材の切断面がギザギザな状態となる前段階において、また、シート材を切断する際に発生する切断加工用刃物１と受刃との押圧によるシート材の横ずれにより細いひげ状の切断屑がシート材の切断面に残存するといった切断不良が生じる前段階において、適切なタイミングで切断加工用刃物１を新品に交換することを容易に行うことが可能となる。具体的に説明すると、本実施形態に係る切断加工用刃物１においては、摩耗による減肉は、切断刃３の側面において発生するが、摩耗による減肉が進行するに従い、溝状マーク５の溝深さが浅くなっていき、最終的に、溝状マーク５が形成されている切断刃３側面領域が摩耗減肉することにより、溝状マーク５は消滅してしまう。この溝状マーク５の消滅プロセスをモニターしていくことにより、刃物の交換時期を認識することができる。
【００３０】
本実施形態においては、図１に示すように、溝状マーク５は、切断刃３の刃先３１側から刃物本体２の径方向内側に向けて直線状に延び、かつ、所定間隔をあけて刃物本体２の外周部に沿って放射状に配置される複数の線状溝５ａの集合として構成されている。このように線状溝５ａを複数備えるように溝状マーク５を構成することにより、例えば、一の線状溝５ａが、切断刃３の側面の摩耗減肉により消滅したタイミングで、当該切断加工用刃物１は、そろそろ交換すべき時期に近づいてきていることを使用者に知らせることが可能となり、切断加工用刃物１の新品を準備（在庫確認や、商品発注手続き）すべきことを使用者に注意喚起することが可能となる。そして、前記一の線状溝５ａに隣接する他の線状溝５ａがほとんど消滅しそうなタイミング、或いは、完全に消滅したタイミングで、切断加工用刃物１の交換を行う必要があることを使用者に注意喚起することが可能となる。或いは、例えば、切断刃３の側面の摩耗減肉により線状溝５ａが任意の本数分消滅したタイミングで、当該切断加工用刃物１は、そろそろ交換すべき時期に近づいてきていることを使用者に知らせ、更に線状溝５ａが任意の本数分消滅したタイミングで、切断加工用刃物１の交換を行う必要があることを使用者に知らせることが可能となる。
【００３１】
また、本実施形態においては、切断刃３は、刃物本体２の外周部に沿って刃物本体２の厚み方向両側縁にそれぞれ設けられており、溝状マーク５は、各切断刃３の外側側面に形成されている。更に、一方の切断刃３の外側側面に形成される一の溝状マーク５を構成する各線状溝５ａと、他方の切断刃３の外側側面に形成される他の溝状マーク５を構成する各線状溝５ａとは、それぞれ、刃物本体２の外周部に沿う方向に関して、同一の位置に形成され、かつ、同一の溝深さを有するように構成されている。このような構成の切断加工用刃物１を図９及び図１０に示すような溝切り装置７０に取り付けて使用する場合、切断加工用刃物１の溝切り装置７０へのセッティング時の位置補正を正確に行うことが可能となる。具体的に説明すると、切断加工用刃物１を溝切り装置７０にセッティングする場合、図１０に示すように、一対の上側回転ホルダ７３，７３の間に、切断加工用刃物１をボルト等の締結具（図示せず）により固定してセッティングするが、このセッティング時に、一方の上側回転ホルダ７３側に片寄った位置で切断加工用刃物１が設置されている場合、一方の切断刃３と他方の切断刃３との間で摩耗状況に相違が生じる。このような摩耗状況の相違を、一方の切断刃３の外側側面に形成される各線状溝５ａと、他方の切断刃３の外側側面に形成される各線状溝５ａとに関して、刃物本体２の周方向の同一位置に形成される一組の線状溝５ａにおける消滅度合いの差として使用者は確実に認識することが可能となる。一方の切断刃３と他方の切断刃３との間で、各線状溝５ａの消滅度合いの差を確認した使用者は、線状溝５ａの消滅度合いが大きい側の切断刃３と、当該切断刃３に摺接する受刃７５とのいわゆる当りが強いと認識することができ、該切断刃３と受刃７５との当りを緩和するように切断加工用刃物１のセッティングを微調整することが可能となる。これにより、切断加工用刃物１が備える両切断刃３が均等に摩耗するように設定することが可能となり、片側の切断刃３だけが大幅に摩耗減肉したことに起因して、他方側の切断刃３がまだ使用可能であるにも関わらず切断加工用刃物１を交換せざるを得ないというような事態を回避することができる。なお、このような効果は、全ての線状溝５ａの深さを同一にしなくても、一方の切断刃３の外側側面に形成される一の溝状マーク５を構成する各線状溝５ａと、他方の切断刃３の外側側面に形成される他の溝状マーク５を構成する各線状溝５ａとに関して、刃物本体２の外周部に沿う方向において同一の位置に形成される一組の線状溝５ａの溝深さを同一に設定することによっても得ることが可能である。つまり、刃物本体２の外周部に沿う方向に関して、同一の位置に形成される線状溝５ａ同士の溝深さを同一とすることにより得ることができる。
【００３２】
また、本実施形態においては、各線状溝５ａにおける刃物本体２の径方向内側の端部５ｂは、刃物本体２の側面にまで伸びるように構成している。つまり、各線状溝５ａの一部分は、摩耗減肉が発生する切断刃３の側面上に形成され、各線状溝５ａの他の部分は、摩耗減肉が発生しない刃物本体２の側面上に形成されている。このような構成を採用することにより、線状溝５ａ毎にどの程度摩耗が進行したかを確実に使用者は認識することができ、切断加工用刃物１の交換時期の予測を行いやすくなり、また、正しい交換時期を認識することが可能となる。
【００３３】
以上、本発明の一実施形態に係る切断加工用刃物１について説明したが、切断加工用刃物１の具体的構成は、上記実施形態に限定されない。例えば、上記実施形態においては、全ての線状溝５ａの溝深さを同一となるように設定しているが、このような構成に限定されず、各線状溝５ａは、それぞれ異なる溝深さを有するように構成してもよい。このように溝状マーク５を構成する複数の線状溝５ａに関し、それぞれが異なる溝深さを有するように構成する場合、例えば、摩耗の進行の起点となり切断刃３の側面減肉が早期に発生することが予測される領域に最も近く配置される一の線状溝５ａの深さが、他の線状溝５ａの深さよりも深くなるように形成する場合、切断刃３の側面減肉により、一の線状溝５ａ及び他の線状溝５ａを略同一のタイミングで消滅させるように切断加工用刃物１を構成することが可能となる。複数の線状溝５ａが略同一のタイミングで消滅しそうな状況や、消滅する状況は、使用者に対して大きな注意喚起となり、切断加工用刃物１の交換を行う必要があることを使用者に効果的に知らしめることが可能となる。また、放射状に配置される各線状溝５ａに関し、刃物本体２の外周部に沿う一の方向に向かうに従い、溝深さが順に大となるように形成してもよい。
【００３４】
また、本実施形態においては。図１〜図３に示すように、各線状溝５ａの刃先３１側端部５ｃと刃先３１との間に間隔を空けて各線状溝５ａを形成しているが、このような構成に特に限定されず、例えば、図５に示すように、各線状溝５ａの刃先３１側端部５ｃが、刃先３１に接続するように構成してもよい。このような構成の場合、各線状溝５ａによって、刃先３１の厚み方向に連通する切欠き部３２が複数形成されることになるが、この切欠き部３２の摩耗の進行状況をモニターすることにより、刃先３１の摩耗状態を使用者は確認することが可能となり、より一層、切断加工用刃物１の交換時期を正確に認識することが可能となる。
【００３５】
また、本実施形態においては、各線状溝５ａにおける刃物本体２の径方向内側の端部５ｂを、摩耗減肉が発生しない刃物本体２の側面上に配設し、各線状溝５ａの一部分が、刃物本体２の側面にまで伸びるように構成しているが、このような構成に限定されず、各線状溝５ａが切断刃３の側面にのみ形成されるように、各線状溝５ａにおける刃物本体２の径方向内側の端部５ｂを切断刃３１の側面上に配設するように構成してもよい。
【００３６】
また、上記実施形態においては、シート材に対してスリットを形成できるように切断加工用刃物１を構成するために、切断刃３は、刃物本体２の厚み方向両側縁にそれぞれ設けられているが、このような形態に特に限定されない。例えば、単にシート材を切断して分離できるように、図６の概略構成断面図に示すように、単一の切断刃３を刃物本体２の外周部に沿って配置するように構成してもよい。なお、このように単一の切断刃３を設けるようにして切断加工用刃物１を構成する場合、刃物本体２が受刃７５と摺接する一方の側面上に溝状マーク５を形成する。
【符号の説明】
【００３７】
１  切断加工用刃物
２  刃物本体
３  切断刃
３１  刃先
３２  切欠き部
４  切込生成刃
５  溝状マーク
５ａ  線状溝
５０  シート材
７０  溝切り装置
７５  受刃
【要約】
【課題】段ボールシート等のシート材を切断する切断加工用刃物の寿命、つまり刃物の交換時期を正確に認識することができる切断加工用刃物を提供する。
【解決手段】回転しながらシート材を切断する切断加工用刃物１であって、扇形状の刃物本体２と、刃物本体２の外周部に沿って配置される切断刃３とを備え、切断刃３の側面には、切断刃３の摩耗量が所定量に達して刃物交換時期に達したことを示す溝状マーク５が形成されており、溝状マーク５は、切断刃３の刃先側から刃物本体２の径方向内側に向けて直線状に延び、かつ、所定間隔をあけて刃物本体２の外周部に沿って放射状に配置される複数の線状溝５ａから構成されている切断加工用刃物。
【選択図】図１【図１】
0005777235.tif 000002
【図２】
0005777235.tif 000003
【図３】
0005777235.tif 000004
【図４】
0005777235.tif 000005
【図５】
0005777235.tif 000006
【図６】
0005777235.tif 000007
【図７】
0005777235.tif 000008
【図８】
0005777235.tif 000009
【図９】
0005777235.tif 000010
【図１０】
0005777235.tif 000011
【図１１】
0005777235.tif 000012